(57)【要約】【課題】加熱ローラおよび加圧ローラの状態の切り替え時におけるカバーの振動を抑えることを目的とする。【解決手段】層転写装置１は、カバー２２を閉位置にロック可能なロック部材（ロックレバー８１）であって、カバー２２がロックされた状態において、カバー２２が閉位置よりも筐体本体２１に近づく方向に移動するのを許容するロック部材と、多層フィルムＦを加熱する加熱部材（加熱ローラ６１）と、加熱部材との間で多層フィルムＦを挟む加圧部材（加圧ローラ５１）と、加熱部材および加圧部材の状態を圧接状態と離間状態とに切り替え可能であり、かつ、カバー２２がロック部材でロックされた状態において、離間状態から圧接状態への切り替え時にカバー２２を開位置に向けて付勢する力が生じる切替機構７０と、カバー２２がロック部材でロックされた状態において、カバー２２を開位置に向けて付勢するバネ（トーションバネ９０）を備える。【選択図】図１
2020121779.tif 000002
【特許請求の範囲】
【請求項１】
シートのトナー像が形成された面に、転写層を有する多層フィルムを重ね、前記トナー像の上に前記転写層を転写する層転写装置であって、
開口を有する筐体本体と、
前記開口を開放する開位置と、前記開口を閉じる閉位置との間で移動可能なカバーと、
前記カバーを前記閉位置にロック可能なロック部材であって、前記カバーがロックされた状態において、前記カバーが前記閉位置よりも前記筐体本体に近づく方向に移動するのを許容するロック部材と、
前記多層フィルムおよび前記シートを加熱する加熱部材と、
前記加熱部材との間で前記多層フィルムおよび前記シートを挟む加圧部材と、
前記加熱部材および前記加圧部材の状態を、前記加熱部材および前記加圧部材で前記多層フィルムを挟んだ圧接状態と、前記加熱部材および前記加圧部材の少なくとも１つが前記多層フィルムから離れた離間状態とに切り替え可能な切替機構であって、前記カバーが前記ロック部材でロックされた状態において、前記離間状態から前記圧接状態への切り替え時に前記カバーを前記開位置に向けて付勢する力が生じる切替機構と、
前記カバーが前記ロック部材でロックされた状態において、前記カバーを前記開位置に向けて付勢するバネと、を備えたことを特徴とする層転写装置。
【請求項２】
前記カバーは、前記筐体本体に対して回動可能であり、
前記カバーの回動軸から前記バネまでの距離Ｌ１は、前記カバーの回動軸から前記カバーの重心までの距離Ｌ２よりも大きいことを特徴とする請求項１に記載の層転写装置。
【請求項３】
前記カバーは、前記加圧部材を備え、
前記カバーの重心は、前記加圧部材の範囲内に位置することを特徴とする請求項２に記載の層転写装置。
【請求項４】
前記カバーは、前記バネを備えることを特徴とする請求項１から請求項３のいずれか１項に記載の層転写装置。
【請求項５】
前記多層フィルムが巻回される供給リールと、前記多層フィルムを巻き取るための巻取リールと、を備え、かつ、前記カバーが前記開位置に位置するときに開放された前記開口を通って前記筐体本体に着脱可能なフィルムユニットを備え、
前記カバーが前記閉位置に位置するときに、前記バネが、前記フィルムユニットを前記筐体本体に向けて付勢することを特徴とする請求項４に記載の層転写装置。
【請求項６】
前記供給リールおよび前記巻取リールを保持するホルダを備え、
前記ホルダは、前記供給リールに対応した位置に配置され、前記筐体本体に回動可能に支持される突起を有し、
前記突起から前記バネまでの距離Ｌ３は、前記突起から前記加熱部材までの距離Ｌ４よりも大きいことを特徴とする請求項５に記載の層転写装置。
【請求項７】
前記多層フィルムを案内する導電性の案内軸を備え、
前記バネは、導電性を有し、前記案内軸に電気的に接続されていることを特徴とする請求項１から請求項６のいずれか１項に記載の層転写装置。
【請求項８】
前記案内軸は、前記シートから前記多層フィルムを剥離させるための軸であることを特徴とする請求項７に記載の層転写装置。
【発明の詳細な説明】
【技術分野】
【０００１】
本発明は、シート上のトナー像に転写層を転写する層転写装置に関する。
【背景技術】
【０００２】
従来、層転写装置として、多層フィルムが巻回された供給リールと、多層フィルムを巻き取るための巻取リールと、多層フィルムおよびシートを加熱する加熱ローラと、加熱ローラとの間で多層フィルムおよびシートを挟む加圧ローラと、を備えたものが知られている（特許文献１参照）。具体的に、この技術では、供給リールと巻取リールがフィルムユニットとして構成されており、このフィルムユニットは、層転写装置の筐体に着脱可能となっている。
【先行技術文献】
【特許文献】
【０００３】
【特許文献１】特開平７−２９０６８５号公報
【発明の概要】
【発明が解決しようとする課題】
【０００４】
ところで、本願発明者は、筐体を、開口を有する筐体本体と、開口を開閉するカバーとで構成し、筐体本体に加熱ローラを設け、カバーに加圧ローラを設ける構造を検討している。さらに、この構造において、加熱ローラおよび加圧ローラの状態を、加熱ローラと加圧ローラとの間で多層フィルムを挟んだ圧接状態と、加熱ローラおよび加圧ローラの少なくとも一方を多層フィルムから離間させる離間状態とに切替可能な構造も検討している。
【０００５】
しかしながら、この場合、各ローラの状態を切り替える際に、カバーに対して加わる力が変化して、カバーが振動するおそれがある。
【０００６】
そこで、本発明は、加熱ローラおよび加圧ローラの状態の切り替え時におけるカバーの振動を抑えることを目的とする。
【課題を解決するための手段】
【０００７】
前記課題を解決するため、本発明に係る層転写装置は、シートのトナー像が形成された面に、転写層を有する多層フィルムを重ね、前記トナー像の上に前記転写層を転写する層転写装置である。
前記層転写装置は、開口を有する筐体本体と、前記開口を開放する開位置と、前記開口を閉じる閉位置との間で移動可能なカバーと、前記カバーを前記閉位置にロック可能なロック部材であって、前記カバーがロックされた状態において、前記カバーが前記閉位置よりも前記筐体本体に近づく方向に移動するのを許容するロック部材と、前記多層フィルムおよび前記シートを加熱する加熱部材と、前記加熱部材との間で前記多層フィルムおよび前記シートを挟む加圧部材と、前記加熱部材および前記加圧部材の状態を、前記加熱部材および前記加圧部材で前記多層フィルムを挟んだ圧接状態と、前記加熱部材および前記加圧部材の少なくとも１つが前記多層フィルムから離れた離間状態とに切り替え可能な切替機構であって、前記カバーが前記ロック部材でロックされた状態において、前記離間状態から前記圧接状態への切り替え時に前記カバーを前記開位置に向けて付勢する力が生じる切替機構と、前記カバーが前記ロック部材でロックされた状態において、前記カバーを前記開位置に向けて付勢するバネと、を備える。
【０００８】
この構成によれば、カバーがロック部材でロックされた状態においてバネによってカバーを開位置に向けて付勢するので、切替機構がどのような状態であっても、ロック部材をロック状態のままに維持することができ、カバーが切替機構の切り替えに応じて振動することを抑えることができる。
【０００９】
また、前記カバーは、前記筐体本体に対して回動可能であり、前記カバーの回動軸から前記バネまでの距離Ｌ１は、前記カバーの回動軸から前記カバーの重心までの距離Ｌ２よりも大きくてもよい。
【００１０】
これによれば、例えばＬ２＞Ｌ１となる構成に比べ、てこの原理により、バネ荷重を小さくすることができる。
【００１１】
また、前記カバーは、前記加圧部材を備え、前記カバーの重心は、前記加圧部材の範囲内に位置していてもよい。
【００１２】
また、前記カバーは、前記バネを備えていてもよい。
【００１３】
また、前記層転写装置は、前記多層フィルムが巻回される供給リールと、前記多層フィルムを巻き取るための巻取リールと、を備え、かつ、前記カバーが前記開位置に位置するときに開放された前記開口を通って前記筐体本体に着脱可能なフィルムユニットを備え、前記カバーが前記閉位置に位置するときに、前記バネが、前記フィルムユニットを前記筐体本体に向けて付勢するように構成されていてもよい。
【００１４】
これによれば、筐体本体に振動が加わっても、フィルムユニットががたつくのを抑えることができる。また、カバーの位置決めとフィルムユニットの位置決めを１つのバネで行うことができる。
【００１５】
また、前記フィルムユニットは、前記供給リールおよび前記巻取リールを保持するホルダを備え、前記ホルダは、前記供給リールに対応した位置に配置され、前記筐体本体に回動可能に支持される突起を有し、前記突起から前記バネまでの距離Ｌ３は、前記突起から前記加熱部材までの距離Ｌ４よりも大きくてもよい。
【００１６】
これによれば、例えばＬ４＞Ｌ３となる構成に比べ、てこの原理により、バネ荷重を小さくすることができる。
【００１７】
また、前記層転写装置は、前記多層フィルムを案内する導電性の案内軸を備え、前記バネは、導電性を有し、前記案内軸に電気的に接続されていてもよい。
【００１８】
これによれば、多層フィルムに溜まる静電気を、バネを介して逃がすことができる。
【００１９】
また、前記案内軸は、前記シートから前記多層フィルムを剥離させるための軸であってもよい。
【００２０】
これによれば、多層フィルムを剥離させるための案内軸に溜まる静電気をバネで逃がすことができるので、シートから多層フィルムを良好に剥離させることができる。
【発明の効果】
【００２１】
本発明によれば、加熱部材および加圧部材の状態の切り替え時におけるカバーの振動を抑えることができる。
【図面の簡単な説明】
【００２２】
【図１】本発明の一実施形態に係る層転写装置を示す図である。
【図２】層転写装置のカバーを開けた状態を示す図である。
【図３】ロック機構を拡大して示す図である。
【図４】トーションバネ周りの構造を拡大して示す図である。
【図５】フィルムユニットを分解して示す斜視図である。
【図６】第２案内軸の端部付近の構造を示す図である。
【図７】トーションバネと各部位との位置関係を示す図である。
【発明を実施するための形態】
【００２３】
次に本発明の一実施形態について図面を参照して説明する。
本発明の一実施形態について、適宜図面を参照しながら詳細に説明する。なお、以下の説明においては、まず、層転写装置の全体構成を簡単に説明した後、本願発明の特徴部分の構成について説明する。
以下の説明において、方向は、図１に示す方向で説明する。すなわち、図１の右側を「前」とし、図１の左側を「後」とし、図１の紙面手前側を「左」とし、図１の紙面奥側を「右」とする。また、図１の上下を「上下」とする。
【００２４】
図１に示すように、層転写装置１は、例えばレーザプリンタ等の画像形成装置でシートＳにトナー像を形成した後、シートＳのトナー像の上に金箔等の箔を転写するための装置である。つまり、層転写装置１は、シートＳのトナー像の上に箔を転写することで、シートＳに箔の画像を形成している。層転写装置１は、筐体２と、シートトレイ３と、シート搬送部１０と、フィルム供給部３０と、転写部５０とを備えている。
【００２５】
筐体２は、樹脂などからなり、筐体本体２１と、カバー２２とを備えている。筐体本体２１は、上部に開口２１Ａ（図２参照）を有している。開口２１Ａは、筐体本体２１に後述するフィルムユニットＦＵを着脱するための開口である。カバー２２は、開口２１Ａを開閉するための部材である。カバー２２の後端部は、筐体本体２１に回動可能に支持されている。カバー２２は、開口２１Ａを閉じる閉位置（図１の位置）と、開口２１Ａを開放する開位置（図２の位置）との間で回動可能となっている。
【００２６】
カバー２２は、筐体本体２１に係合可能なロックレバー８１を備えている。ロックレバー８１は、ロック部材の一例であり、カバー２２の前端部に位置している。ロックレバー８１は、カバー２２に回動可能に支持されるシャフト８２の両端に固定されている。シャフト８２の中央には、ユーザによって操作されるハンドル８３が固定されている。これにより、ユーザがハンドル８３を操作することで、ロックレバー８１が回動するようになっている。
【００２７】
シートトレイ３は、用紙、ＯＨＰフィルム等のシートＳが載置されるトレイである。シートトレイ３は、筐体２の後部に設けられている。なお、シートＳは、トナー像が形成された面を下向きにしてシートトレイ３上に載置される。
【００２８】
シート搬送部１０は、シート供給機構１１と、シート排出機構１２とを備えている。シート供給機構１１は、シートトレイ３上のシートＳを一枚ずつ転写部５０に向けて搬送する機構である。シート供給機構１１は、ピックアップローラと搬送ローラを備えている。
【００２９】
シート排出機構１２は、転写部５０を通過したシートＳを筐体２の外部に排出する機構である。シート排出機構１２は、複数の搬送ローラを備えている。
【００３０】
フィルム供給部３０は、シート供給機構１１から搬送されたシートＳに重ねるように多層フィルムＦを供給する部分である。フィルム供給部３０は、フィルムユニットＦＵと、図示せぬモータ等の駆動源を備えている。
【００３１】
フィルムユニットＦＵは、図２に示すように、後述する供給リール３１の軸方向に直交する方向において、カバー２２が開位置に位置するときに開放された開口２１Ａを通過して筐体本体２１に着脱可能となっている。フィルムユニットＦＵは、供給リール３１と、巻取リール３５と、第１案内軸４１と、第２案内軸４２と、第３案内軸４３とを備えている。供給リール３１には、多層フィルムＦが巻回されている。
【００３２】
多層フィルムＦは、複数の層からなるフィルムである。詳しくは、多層フィルムＦは、
支持層と、被支持層とを有する。支持層は、高分子材料からなるテープ状の透明な基材であり、被支持層を支持している。被支持層は、例えば、剥離層と、転写層と、接着層とを有する。剥離層は、支持層から転写層を剥離しやすくするための層であり、支持層と転写層との間に配置されている。剥離層は、支持層から剥離しやすい透明な材料、例えばワックス系樹脂を含んでいる。
【００３３】
転写層は、トナー像に転写される層であり、箔を含んでいる。箔とは、金、銀、銅、アルミニウム等の金属であって薄く延された金属である。また、転写層は、金色、銀色、赤色などの着色材料と、熱可塑性樹脂とを含む。転写層は、剥離層と接着層との間に配置されている。接着層は、転写層をトナー像に接着しやすくするための層である。接着層は、後述する転写部５０によって加熱されたトナー像に付着しやすい材料、例えば塩化ビニル系樹脂やアクリル系樹脂を含んでいる。
【００３４】
供給リール３１は、樹脂などからなり、多層フィルムＦが巻回される供給軸部３１Ａを有している。供給軸部３１Ａには、多層フィルムＦの一端が固定されている。多層フィルムＦは、支持層を外側、被支持層を内側にして、供給リール３１に巻回されている。
【００３５】
巻取リール３５は、樹脂などからなり、多層フィルムＦを巻き取るための巻取軸部３５Ａを有している。巻取軸部３５Ａには、多層フィルムＦの他端が固定されている。多層フィルムＦは、支持層を外側、被支持層を内側にして、巻取リール３５に巻回されている。
【００３６】
なお、図１等においては、便宜上、供給リール３１および巻取リール３５の両方に多層フィルムＦが最大に巻回された状態を図示することとする。実際には、フィルムユニットＦＵが新品の状態においては、供給リール３１に巻回されたロール状の多層フィルムＦの径は最大となっており、巻取リール３５には多層フィルムＦが巻回されていない、もしくは、巻取リール３５に巻回されたロール状の多層フィルムＦの径は最小となっている。また、フィルムユニットＦＵの寿命時（多層フィルムＦを使い切ったとき）においては、巻取リール３５に巻回されたロール状の多層フィルムＦの径は最大となり、供給リール３１には多層フィルムＦが巻回されていない、もしくは、供給リール３１に巻回されたロール状の多層フィルムＦの径は最小となる。
【００３７】
第１案内軸４１は、供給リール３１から引き出される多層フィルムＦの進行方向を変更するための軸である。第１案内軸４１は、導電性の樹脂や金属などからなっている。
【００３８】
第２案内軸４２は、第１案内軸４１で案内された多層フィルムＦの進行方向を変更するための軸である。第２案内軸４２は、導電性の樹脂や金属などからなっている。
【００３９】
第３案内軸４３は、第２案内軸４２で案内された多層フィルムＦの進行方向を変更して巻取リール３５に案内する軸である。第３案内軸４３は、導電性の樹脂や金属などからなっている。
【００４０】
第１案内軸４１は、トナー像を下にした状態で搬送されるシートＳに対して、供給リール３１から引き出された多層フィルムＦを下から重ねるように案内している。第１案内軸４１は、供給リール３１から引き出された多層フィルムＦの搬送方向を変えて、シートＳの搬送方向と略平行に多層フィルムＦを案内する。
【００４１】
第２案内軸４２は、シートＳから多層フィルムＦを剥離させるための軸である。第２案内軸４２は、転写部５０を通過した多層フィルムＦと接触し、転写部５０を通過した多層フィルムＦの搬送方向をシートＳの搬送方向とは異なる方向に変更している。転写部５０を通過してシートＳと重なった状態で搬送された多層フィルムＦは、第２案内軸４２を通過する際にシートＳとは異なる方向に案内され、シートＳから剥離される。
【００４２】
転写部５０は、シートＳと多層フィルムＦを重ねた状態で加熱および加圧することで、シートＳに形成されたトナー像の上に転写層を転写するための部分である。転写部５０は、加圧部材の一例としての加圧ローラ５１と、加熱部材の一例としての加熱ローラ６１とを備えている。転写部５０は、加圧ローラ５１と加熱ローラ６１のニップ部において、シートＳと多層フィルムＦを重ねて加熱および加圧する。
【００４３】
加圧ローラ５１は、円筒状の芯金の周囲をシリコンゴムからなるゴム層で被覆したローラである。加圧ローラ５１は、多層フィルムＦの上側に配置され、シートＳの裏面（トナー像が形成された面と反対側の面）と接触可能となっている。
【００４４】
加圧ローラ５１は、両端部がカバー２２に回転可能に支持されている。加圧ローラ５１は、加熱ローラ６１との間でシートＳおよび多層フィルムＦを挟み、図示せぬ駆動源によって回転駆動されることで加熱ローラ６１を従動回転させる。
【００４５】
加熱ローラ６１は、円筒状に形成された金属管の内部にヒータを配置したローラであり、多層フィルムＦおよびシートＳを加熱している。加熱ローラ６１は、多層フィルムＦの下側に配置され、多層フィルムＦと接触している。
【００４６】
切替機構７０は、加圧ローラ５１および加熱ローラ６１の状態を、加圧ローラ５１と加熱ローラ６１で多層フィルムＦを挟んだ圧接状態と、加圧ローラ５１および加熱ローラ６１の少なくとも１つが多層フィルムＦから離れた離間状態とに切り替えるための機構である。本実施形態では、切替機構７０は、加熱ローラ６１を、実線で示す圧接位置と、二点鎖線で示す離間位置との間で移動させることで、加熱ローラ６１を多層フィルムＦに対して接触・離間させている。つまり、切替機構７０は、加熱ローラ６１を多層フィルムＦから離すことで、加圧ローラ５１および加熱ローラ６１の状態を、離間状態にする。また、切替機構７０は、加熱ローラ６１を多層フィルムＦに圧接させることで、加圧ローラ５１および加熱ローラ６１の状態を、圧接状態にする。
【００４７】
切替機構７０は、カバー２２を閉じている状態においては、シートＳが転写部５０に供給されるタイミングに合わせて加熱ローラ６１を圧接位置に移動させている。また、切替機構７０は、カバー２２が開けられた場合や、転写部５０においてシートＳに箔転写を行わない場合には、加熱ローラ６１を離間位置に位置させている。
【００４８】
この切替機構７０では、離間状態から圧接状態への切り替え時において、カバー２２を開位置に向けて付勢する力が生じる。詳しくは、切替機構７０でカバー２２を付勢する力は、カバー２２を持ち上げることが可能な大きさとなっている。
【００４９】
このように構成された層転写装置１では、シートＳの表面を下向きにしてシートトレイ３に載置されたシートＳが、シート供給機構１１により一枚ずつ転写部５０に向けて搬送される。シートＳは、転写部５０のシート搬送方向における上流側で、供給リール３１から供給された多層フィルムＦと重ねられ、シートＳのトナー像と多層フィルムＦが接触した状態で転写部５０に搬送される。
【００５０】
転写部５０においては、シートＳと多層フィルムＦが加圧ローラ５１と加熱ローラ６１の間のニップ部を通過する際に、加熱ローラ６１と加圧ローラ５１により加熱および加圧され、トナー像の上に転写層が転写される。なお、以下の説明では、トナー像への転写層の転写を、単に「層転写」とも称する。
【００５１】
層転写が行われた後、シートＳと多層フィルムＦは密着した状態で第２案内軸４２まで搬送される。シートＳと多層フィルムＦが第２案内軸４２を通過すると、多層フィルムＦの搬送方向がシートＳの搬送方向と異なる方向に変わるため、シートＳから多層フィルムＦが剥離される。
【００５２】
シートＳから剥離された多層フィルムＦは、巻取リール３５に巻き取られていく。一方、多層フィルムＦが剥離されたシートＳは、シート排出機構１２によって、転写層が転写された表面を下に向けた状態で、筐体２の外部に排出される。
【００５３】
図３に示すように、ロックレバー８１は、ロックピンＲＰとともに、ロック機構８０を構成している。ロックレバー８１は、先端部がフック形状となっており、先端部が筐体本体２１に設けられるロックピンＲＰに係合可能となっている。ロックレバー８１は、実線で示すロック位置と、破線で示すアンロック位置との間で回動可能となっている。ロックレバー８１は、カバー２２が実線で示す閉位置に位置した状態において、ロック位置に位置するときに、筐体本体２１のロックピンＲＰと係合することでカバー２２を閉位置にロックしている。また、ロックレバー８１は、カバー２２が閉位置に位置した状態において、アンロック位置に位置するときに、カバー２２が閉位置から開位置へ移動するのを許容する。さらに、ロックレバー８１は、カバー２２をロックした状態において、カバー２２が閉位置よりも筐体本体２１に近づく方向に移動するのを許容するように構成されている。
【００５４】
言い換えると、カバー２２は、実線で示す閉位置よりも開位置から遠い、二点鎖線で示す最終位置まで回動することが可能となっている。最終位置においては、ロックレバー８１の先端部とロックピンＲＰとの間に隙間が形成される。これにより、ロックレバー８１の先端部をロックピンＲＰにスムーズに係合させることが可能となっている。
【００５５】
このようにロック機構８０が構成されることで、カバー２２は、ロック機構８０でロックされた状態において、閉位置と最終位置との間で回動可能となっている。そのため、切替機構７０の状態の切り替えを頻繁に行う場合、例えば複数枚のシートＳに対して連続して層転写を行う場合などには、カバー２２に加わる重力とカバー２２に対して切替機構７０から加わる付勢力の作用によって、カバー２２が振動するおそれがある。これに対し、本実施形態では、図４に示すように、バネの一例としてのトーションバネ９０を、カバー２２と筐体本体２１との間に設けることで、カバー２２の振動を抑えている。
【００５６】
トーションバネ９０は、導電性の樹脂または金属で形成されている。トーションバネ９０は、カバー２２に設けられ、カバー２２と一体に動くことが可能となっている（図２参照）。
【００５７】
トーションバネ９０は、コイルバネ部９１と、コイルバネ部９１の一端から延びる第１アーム部９２と、コイルバネ部９１の他端から延びる第２アーム部９３とを有している。コイルバネ部９１は、カバー２２に設けられるバネ支持軸２２Ａに支持されている。第１アーム部９２の先端は、カバー２２に設けられる係止部２２Ｂに固定されている。第２アーム部９３の先端は、カバー２２が閉位置にある状態で、フィルムユニットＦＵに接触している。
【００５８】
このように構成されるトーションバネ９０は、閉位置に位置するカバー２２がロック機構８０でロックされた状態において、カバー２２を開位置に向けて付勢している。ここで、トーションバネ９０からカバー２２に加わる付勢力は、カバー２２を持ち上げることが可能な大きさとなっている。これにより、切替機構７０が離間状態である場合でも、カバー２２が自重により閉位置から最終位置まで下がるのを、トーションバネ９０の付勢力によって抑えることが可能となっている。そのため、層転写時において、常にカバー２２が閉位置に位置し、ロックレバー８１の先端部がロックピンＲＰと係合した状態に保たれるようになっている。
【００５９】
また、トーションバネ９０は、閉位置に位置するカバー２２がロック機構８０でロックされた状態において、フィルムユニットＦＵを筐体本体２１に向けて付勢している。これにより、トーションバネ９０の付勢力によって、フィルムユニットＦＵを位置決めすることが可能となっている。
【００６０】
図５に示すように、トーションバネ９０は、フィルムユニットＦＵのうち第２案内軸４２の付近に接触するように配置されている。以下、フィルムユニットＦＵの構造について説明した後に、トーションバネ９０とフィルムユニットＦＵの関係を詳細に説明する。
【００６１】
フィルムユニットＦＵは、樹脂などからなるホルダ１００と、ホルダ１００に着脱可能なフィルムカートリッジ２００とを備えている。フィルムカートリッジ２００は、前述した多層フィルムＦが巻回された供給リール３１および巻取リール３５と、供給ケース３２とを備えている。
【００６２】
供給リール３１（詳しくは、供給ケース３２）および巻取リール３５は、ホルダ１００に対して、供給リール３１の軸方向に直交する方向に着脱可能となっている。そして、フィルムカートリッジ２００は、ホルダ１００に取り付けられた状態において、筐体本体２１に着脱可能となっている。
【００６３】
供給ケース３２は、供給リール３１を収容する中空のケースである。供給ケース３２は、樹脂などからなり、略円筒状の外周壁３２Ａと、外周壁３２Ａの両端に設けられる略円板状の２つの側壁３２Ｂとを有する。供給リール３１は、供給ケース３２の各側壁３２Ｂに回転可能に支持されている。
【００６４】
ホルダ１００は、ベースフレーム１１０と、ベースフレーム１１０に回動可能（移動可能）に支持される規制フレーム１２０とを有している。ベースフレーム１１０は、第１保持部１１１と、第２保持部１１２と、２つの連結部１１３と、２つの取手１１４とを有している。
【００６５】
第１保持部１１１は、供給ケース３２を保持する部位である。第１保持部１１１は、供給ケース３２を介して供給リール３１を保持している。第１保持部１１１は、断面視略円弧状の外周壁１１１Ａと、２つの側壁１１１Ｂとを有する。
【００６６】
外周壁１１１Ａは、供給ケース３２の外周面に沿って配置されている。各側壁１１１Ｂは、供給リール３１の軸方向において、外周壁１１１Ａの各端部に配置されている。
【００６７】
各側壁１１１Ｂは、第１案内軸４１を軸方向で挟んでおり、第１案内軸４１を回転可能に支持している。各側壁１１１Ｂは、突起の一例としての円柱状のボス１１１Ｃを有している。
【００６８】
各ボス１１１Ｃは、各側壁１１１Ｂから軸方向外側に突出している。各ボス１１１Ｃは、フィルムユニットＦＵの筐体本体２１への装着時において、筐体本体２１に形成された第１ガイドＧＤ１（図２参照）でガイドされて、位置決めされるようになっている。各ボス１１１Ｃは、供給リール３１がホルダ１００に装着された状態において、供給リール３１に対応した位置に配置されている。詳しくは、各ボス１１１Ｃは、供給リール３１がホルダ１００に装着された状態において、供給リール３１の回転軸と同軸に配置されている。
【００６９】
各ボス１１１Ｃは、第１ガイドＧＤ１（図２参照）によって、回動可能に支持されている。これにより、フィルムユニットＦＵを装着する際において、ボス１１１Ｃを中心にしてフィルムユニットＦＵを回動させながら、装着することが可能となっている。
【００７０】
第２保持部１１２は、巻取リール３５を保持する部位である。詳しくは、第２保持部１１２は、規制フレーム１２０とともに、中空のケースを構成しており、中空のケース内に巻取リール３５を収容している。巻取リール３５の巻取軸部３５Ａの端部Ａ１は、中空のケース（第２保持部１１２および規制フレーム１２０）に形成された穴から軸方向外側に突出しており、筐体本体２１に形成された第２ガイドＧＤ２（図２参照）でガイドされて、位置決めされるようになっている。また、第２保持部１１２は、第２案内軸４２を回転可能に支持している。
【００７１】
２つの連結部１１３は、第１保持部１１１と第２保持部１１２とを連結する部位である。詳しくは、各連結部１１３は、供給リール３１の軸方向に間隔を開けて配置されている。
【００７２】
このように連結部１１３が形成されることで、ホルダ１００は、供給リール３１の軸方向に直交する直交方向に貫通する貫通穴１００Ａを有している。各取手１１４は、各連結部１１３の上に配置されている。各取手１１４は、ホルダ１００のうち巻取リール３５の軸方向両端にそれぞれ配置されている。
【００７３】
図６に示すように、第２保持部１１２は、導電性の樹脂や金属などからなる、ベアリング１１２Ａ、導電バネ１１２Ｂおよび保持部材１１２Ｃを備えている。ベアリング１１２Ａは、第２案内軸４２を回転可能に支持する部材であり、第２案内軸４２と電気的に接続されている。導電バネ１１２Ｂは、ベアリング１１２Ａと保持部材１１２Ｃとの間に配置され、ベアリング１１２Ａと保持部材１１２Ｃとを電気的に接続している。
【００７４】
保持部材１１２Ｃは、導電バネ１１２Ｂを保持する部材であり、導電バネ１１２Ｂを収容する収容部Ｃ１と、収容部Ｃ１から延びる延出部Ｃ２とを有している。延出部Ｃ２は、収容部Ｃ１から、第２案内軸４２から遠ざかる方向に向けて、軸方向に沿って延びている。
【００７５】
図５および図６に示すように、トーションバネ９０は、保持部材１１２Ｃの延出部Ｃ２に接触している。これにより、トーションバネ９０は、保持部材１１２Ｃ、導電バネ１１２Ｂおよびベアリング１１２Ａを介して第２案内軸４２に電気的に接続されている。なお、トーションバネ９０は、カバー２２および筐体本体２１に設けられる導電性の部材を介して、接地されている。
【００７６】
図７に示すように、カバー２２の重心ＣＧは、加圧ローラ５１の範囲内に位置している。詳しくは、カバー２２の重心ＣＧは、加圧ローラ５１の回転軸Ｘ１に位置している。カバー２２の回動軸Ｘ２からトーションバネ９０（詳しくは、トーションバネ９０とフィルムユニットＦＵとの接点）までの距離Ｌ１は、カバー２２の回動軸Ｘ２からカバー２２の重心ＣＧまでの距離Ｌ２よりも大きくなっている。ここで、仮にＬ１＜Ｌ２となるようにトーションバネが配置される場合には、トーションバネの付勢力によってカバー２２を閉位置に保持するためには、本実施形態のトーションバネ９０よりも大きなバネ荷重が必要になる。本実施形態では、Ｌ１＞Ｌ２となるようにトーションバネ９０を配置するので、てこの原理により、小さなバネ荷重であっても、トーションバネ９０によってカバー２２を閉位置に良好に保持することができる。
【００７７】
また、フィルムユニットＦＵのボス１１１Ｃからトーションバネ９０（詳しくは、トーションバネ９０とフィルムユニットＦＵとの接点）までの距離Ｌ３は、ボス１１１Ｃから加熱ローラ６１（詳しくは加熱ローラ６１の回転軸Ｘ３）までの距離Ｌ４よりも大きくなっている。ここで、フィルムユニットＦＵは、ボス１１１Ｃが第１ガイドＧＤ１に回動可能に支持された状態において、トーションバネ９０の付勢力によって、ボス１１１Ｃを中心にしてフィルムユニットＦＵが図示時計回りに付勢されることで、巻取軸部３５Ａの端部Ａ１が第２ガイドＧＤ２に押し付けられて筐体本体２１に位置決めされる。
【００７８】
そのため、トーションバネ９０の位置がボス１１１Ｃから遠いほど、てこの原理を利用して、トーションバネ９０のバネ荷重を小さくすることができる。そのため、Ｌ３＞Ｌ４とすることで、例えばＬ３＜Ｌ４とする構造よりも、トーションバネ９０のバネ荷重を小さくすることができる。
【００７９】
次に、トーションバネ９０の作用について説明する。
図１に示すように、複数枚のシートＳに連続して層転写を行う場合には、例えば、シートＳが転写部５０を通過している間だけ切替機構７０を圧接状態とし、転写部５０にシートＳが存在しない際には切替機構７０を離間状態とするような制御が行われる。このような場合には、切替機構７０が圧接状態と離間状態とに頻繁に切り替えられる。そのため、本実施形態のようなトーションバネ９０を設けない場合には、カバー２２が閉位置と最終位置との間で振動してしまう。
【００８０】
これに対し、本実施形態では、トーションバネ９０によってカバー２２を開位置に向けて付勢することで、切替機構７０がどのような状態であっても、ロックレバー８１の先端部をロックピンＲＰに係合させた状態のままに維持することができるので、カバー２２が切替機構７０の切り替えに応じて振動することを抑えることができる。
【００８１】
以上によれば、本実施形態において以下のような効果を得ることができる。
トーションバネ９０の付勢力によって、カバー２２が常に閉位置に保持されるので、カバー２２の振動を抑えることができる。
【００８２】
カバー２２の回動軸Ｘ２からトーションバネ９０までの距離Ｌ１を、回動軸Ｘ２からカバー２２の重心ＣＧまでの距離Ｌ２よりも大きくしたので、例えばＬ２＞Ｌ１となる構成に比べ、てこの原理により、トーションバネ９０のバネ荷重を小さくすることができる。
【００８３】
トーションバネ９０によってフィルムユニットＦＵを筐体本体２１に向けて付勢するので、筐体本体２１に振動が加わっても、フィルムユニットＦＵががたつくのを抑えることができる。また、カバー２２の位置決めとフィルムユニットＦＵの位置決めを１つのトーションバネ９０で行うことができる。
【００８４】
フィルムユニットＦＵのボス１１１Ｃからトーションバネ９０までの距離Ｌ３を、ボス１１１Ｃから加熱ローラ６１までの距離Ｌ４よりも大きくしたので、例えばＬ４＞Ｌ３となる構成に比べ、てこの原理により、トーションバネ９０のバネ荷重を小さくすることができる。
【００８５】
トーションバネ９０を第２案内軸４２に電気的に接続したので、多層フィルムＦに溜まる静電気を、第２案内軸４２およびトーションバネ９０を介して逃がすことができる。また、多層フィルムＦを剥離させるための第２案内軸４２に溜まる静電気をトーションバネ９０で逃がすことができるので、シートＳから多層フィルムＦを良好に剥離させることができる。
【００８６】
なお、本発明は前記実施形態に限定されることなく、以下に例示するように様々な形態で利用できる。
【００８７】
前記実施形態では、トーションバネ９０をカバー２２に設けたが、本発明はこれに限定されず、筐体本体２１にトーションバネ９０を設けてもよい。
【００８８】
前記実施形態では、加熱部材として円筒状の加熱ローラ６１を例示したが、本発明はこれに限定されず、加熱部材は、例えば、ヒータによって加熱される板状の部材であってもよい。また、加圧部材としては、加圧ローラ５１に限らず、例えば、無端状のベルトなどであってもよい。
【００８９】
前記実施形態では、バネとしてトーションバネ９０を例示したが、本発明はこれに限定されず、バネは、例えば、板バネやコイルバネなどであってもよい。
【００９０】
前記実施形態では、箔を含む転写層を例示したが、本発明はこれに限定されず、転写層は、例えば、箔や着色材料を含まず、熱可塑性樹脂から形成されていてもよい。
【００９１】
前記実施形態では、多層フィルムＦを４層で構成したが、本発明はこれに限定されず、多層フィルムは、転写層と支持層を有していれば、層の数はいくつであってもよい。
【００９２】
前記実施形態では、レーザプリンタ等の画像形成装置とは別の装置として層転写装置１を構成したが、本発明はこれに限定されず、層転写装置は画像形成装置と一体に構成されていてもよい。
【００９３】
前記実施形態では、ロック部材としてロックレバー８１を例示したが、本発明はこれに限定されるものではない。例えば、ロック部材は、カバーに形成した穴に係合する係合位置と、カバーの穴から離脱する離脱位置との間で移動可能なプランジャを有するソレノイドであってもよい。また、前記実施形態では、ロックレバー８１をカバー２２に設けたが、本発明はこれに限定されず、ロックレバーを筐体本体に設け、ロックピンをカバーに設けてもよい。
【００９４】
前記実施形態では、フィルムユニットＦＵを、ホルダ１００とフィルムカートリッジ２００とを備える構成としたが、本発明はこれに限定されず、フィルムユニットは、例えば、前記実施形態のようなフィルムカートリッジ２００のみから構成されていてもよい。この場合、前記実施形態に係るホルダ１００を筐体本体２１に一体に設けることで、フィルムカートリッジ２００からなるフィルムユニットが、筐体本体２１に着脱可能となる。
【００９５】
前記した実施形態および変形例で説明した各要素を、任意に組み合わせて実施してもよい。
【符号の説明】
【００９６】
１      層転写装置
２１    筐体本体
２１Ａ  開口
２２    カバー
５１    加圧ローラ
６１    加熱ローラ
７０    切替機構
８１    ロックレバー
９０    トーションバネ
Ｆ      多層フィルム
Ｓ      シート
【図１】
2020121779.tif 000003
【図２】
2020121779.tif 000004
【図３】
2020121779.tif 000005
【図４】
2020121779.tif 000006
【図５】
2020121779.tif 000007
【図６】
2020121779.tif 000008
【図７】
2020121779.tif 000009